(57)【要約】      （修正有）【課題】複数の携帯ＬＥＤ警告灯の取り扱いを容易とするだけでなく、現場環境や使用状況に応じて視認性を高める様々な使用方法を可能とし、携帯ＬＥＤ警告灯の効果を向上させ得るＬＥＤ警告灯ケースを提供する。【解決手段】ＬＥＤ警告灯ケース２は、本体２０と開閉可能な蓋部２１とから成り、本体２０の内部は間仕切り２２により５つの警告灯収容部２３を設けている。また、本体２０の底面には各警告灯収容部２３ごとに携帯ＬＥＤ警告灯１の先端部の直径よりもやや小さな貫通孔２４を設けており、貫通孔２４を通して外部から操作釦を操作可能としている。蓋部２１の正面側表面には金属板２６を設けており、ＬＥＤ警告灯ケース２を路上等に平置きし、尾栓の永久磁石を金属板２６に吸着させて携帯ＬＥＤ警告灯１を垂直に起立した状態で固定することができる。【選択図】図４
0003208109.tif 000002
【実用新案登録請求の範囲】
【請求項１】
棒状の携帯ＬＥＤ警告灯を収容可能な複数の警告灯収容部を内部に設けた透明又は半透明の箱体から成ることを特徴とする、ＬＥＤ警告灯ケース。
【請求項２】
前記携帯ＬＥＤ警告灯は先端部にＬＥＤの点灯／点滅／消灯を切り替え可能な操作釦を有し、前記箱体は各収容部の底面に貫通孔を有することを特徴とする、請求項１に記載のＬＥＤ警告灯ケース。
【請求項３】
前記携帯ＬＥＤ警告灯はさらに元端部に永久磁石を有し、前記箱体はさらに表面に金属部を有し、前記金属部に前記永久磁石を吸着させることにより前記箱体表面に前記携帯ＬＥＤ警告灯を固定可能としたことを特徴とする、請求項２に記載のＬＥＤ警告灯ケース。
【請求項４】
前記携帯ＬＥＤ警告灯と、請求項１乃至請求項３のいずれかに記載のＬＥＤ警告灯ケースとからなることを特徴とする、ＬＥＤ警告灯セット。
【考案の詳細な説明】
【技術分野】
【０００１】
本考案は、交通事故や交通検問等の現場での保安や警戒のために使用されるＬＥＤ警告灯を複数収容し、収容状態のまま点灯／消灯可能とすることにより、ＬＥＤ警告灯の効果を向上させるためのＬＥＤ警告灯ケースに関するものである。
【背景技術】
【０００２】
従来、交通事故や交通検問等の現場では自動車等に備付けの発炎筒を点火して二次事故の防止や警戒を行っていたが、近年では、火薬式の発炎筒に代わり赤色ＬＥＤを発光体とする携帯ＬＥＤ警告灯が普及している。
【０００３】
一般的な携帯ＬＥＤ警告灯は、透明な軸部内にＬＥＤ発光体を配列した基盤を設け、持ち手部分の電池と操作スイッチでＬＥＤ発光体の点灯／点滅／消灯ができるようにしている。発炎筒に比べて携帯ＬＥＤ警告灯は取扱いが容易であるだけでなく、発光継続時間が長い、煙が出ないため雨天や霧・降雪の際も視認性が高いといった利点を有するため、たとえば特許文献１乃至６に記載のような様々な先行技術が提案されている。
【特許文献１】特開平８−１１９０３５号公開公報
【特許文献２】特開２０００−３３１５０２号公開公報
【特許文献３】特開２００８−２６２８８３号公開公報
【特許文献４】特開２０１４−００２８８１号公開公報
【特許文献５】実用新案登録第３１２４８３０号登録公報
【特許文献６】実用新案登録第３１６１３７３号登録公報
【考案の開示】
【考案が解決しようとする課題】
【０００４】
これら先行技術は携帯ＬＥＤ警告灯単体に関するものであるが、警察官等による事故処理や保安・警戒、交通誘導においては多数の携帯ＬＥＤ警告灯を同時に使用することが多く、保管や搬送あるいは現場での取り扱いが容易であることが望まれる。また、発光体を多数集積したＬＥＤ警告灯は発炎筒に劣らない光量を有するものの、現場環境によっては個々単体の警告灯では視認性が必ずしも十分でない場合もある。さらに、状況により路上等に置いた状態で点灯させた際には、草や縁石等の陰になって視認できない場合も生じる。
【０００５】
本考案は、かかる問題を解決することを目的として創作されたものであり、複数の携帯ＬＥＤ警告灯の取り扱いを容易とするだけでなく、現場環境や使用状況に応じて視認性を高める様々な使用方法を可能とし、携帯ＬＥＤ警告灯の効果を向上させ得るＬＥＤ警告灯ケースを提供することを目的とするものである。
【０００６】
かかる目的を達成するため、請求項１に記載したＬＥＤ警告灯ケースは、棒状の携帯ＬＥＤ警告灯を収容可能な複数の警告灯収容部を内部に設けた透明又は半透明の箱体から成ることを特徴とする。
【０００７】
本考案に係るＬＥＤ警告灯ケースは、複数の携帯ＬＥＤ警告灯をまとめて収容して使用現場に携行できるだけでなく、ケース自体が透明又は半透明の箱体であるから、携帯ＬＥＤ警告灯を点灯／点滅させた状態で収容すると、ＬＥＤの光は箱体の素材を通過するとともに複雑に反射もし、ケース全体が発光する効果を奏する。特に、複数の携帯ＬＥＤ警告灯を同時に点灯／点滅させた場合には、かかる効果は相乗的に強化されるため、夜間や雨天、濃霧の場合における視認性が格段に向上する。また、ケースを路上等に設置すれば、携帯ＬＥＤ警告灯は起立した状態で点灯／点滅させることができるため、草や縁石等の陰になって視認されにくくなることを防ぐことができ、遠方からの視認性も高まる。
【０００８】
ケース本体は、透明又は半透明のプラスティック樹脂、たとえば軽量で耐水性に優れたポリプロピレン、ポリエチレンあるいはポリカーボネイト製のダンボール状の板材を箱状に組み立てた構造とすることが適当である。内部には同じ材料で間仕切りを設け、複数の警告灯収容部を構成し、上部には携帯ＬＥＤ警告灯を出し入れ可能な蓋部を設ける。また、両側面に金具を設けて肩掛けベルトを取り付ければ、持ち運びにも便利である。
【０００９】
次に、請求項２に記載したＬＥＤ警告灯ケースは、請求項１に記載のＬＥＤ警告灯ケースであって、前記携帯ＬＥＤ警告灯は先端部にＬＥＤの点灯／点滅／消灯を切り替え可能な操作釦を有し、前記箱体は各収容部の底面に貫通孔を有することを特徴とする。
【００１０】
かかる構成により、使用者は貫通孔から露出した操作釦を操作できるので、携帯ＬＥＤ警告灯をケースに収容したまま点灯／点滅／消灯を切り替え可能となり、使用現場での取り扱いがさらに容易となる。
【００１１】
次に、請求項３に記載したＬＥＤ警告灯ケースは、請求項２に記載のＬＥＤ警告灯ケースであって、前記携帯ＬＥＤ警告灯はさらに元端部に永久磁石を有し、前記箱体はさらに表面に金属板を有し、前記金属板に前記永久磁石を吸着させることにより前記箱体表面に前記携帯ＬＥＤ警告灯を固定可能としたことを特徴とするものである。
【００１２】
かかる構成により、携帯ＬＥＤ警告灯を点灯／点滅させた状態で、路上等に平置きしたＬＥＤ警告灯ケース表面の金属板に永久磁石を吸着させ、一本又は複数の携帯ＬＥＤ警告灯を起立させて固定することができる。この場合、ケースを倒した状態で平置きするため土台としての安定性が高まり、強風時でも携帯ＬＥＤ警告灯が倒れるおそれが小さくなり、また、ケースに光が反射することにより携帯ＬＥＤを単体で路上等に放置した場合に比べて看者の注意をより強く喚起することができる。また、携帯ＬＥＤ警告灯は、元端部の永久磁石でガードレールや停車中の車両のボディ等に直接吸着固定させることもできるので、様々な使用方法が可能となる。
【考案の効果】
【００１３】
本考案に係るＬＥＤ警告灯ケースによれば、
（１）複数の携帯ＬＥＤ警告灯をまとめて携行でき、取扱いが容易となる。
（２）ケースに収容したまま携帯ＬＥＤ警告灯を点灯／点滅させることにより、ケース全体を発光させることができるため、特に悪天候等の場合における注意喚起の強化が図れる。
（３）携帯ＬＥＤ警告灯をケースに収容したまま、あるいは、平置きしたケース上に起立させた状態で路上等に設置できるため、視認性が高まる。
といった効果が期待できる。
【考案を実施するための最良の形態】
【００１４】
以下、本考案の実施形態について図を用いて詳細に説明する。図１は本考案に係るＬＥＤ警告灯ケースに収容可能な携帯ＬＥＤ警告灯を上方から見た平面図、図２は先端部から見た左側面図、図３は元端部から見た右側面図である。
【００１５】
携帯ＬＥＤ警告灯１は、透明な樹脂管からなる発光部１０と、先端部１１と、元端部１２とから成る。元端部１２に設けたネジ込み着脱可能な尾栓１３から元端部１２に内蔵させた電池（図示せず）を電源とし、先端部１１の循環式押しボタンの操作釦１６により、発光部１０に内蔵した基盤１４上のＬＥＤ素子１５の点灯／点滅／消灯を操作可能としている。一方、尾栓１３の端面には永久磁石１７を設けている。また、元端部１２にはクリップ１９を設けて使用者のベルト等に装着可能としており、クリップ１９にストラップ（図示せず）を取り付ければ、カラーコーン（登録商標）等に装着することもできる。
【００１６】
次に、図４は本考案に係るＬＥＤ警告灯ケース２の斜視図、図５は同正面図、図６は同左側面図、図７は同底面図である。ＬＥＤ警告灯ケース２は、本体２０と開閉可能な蓋部２１とから成り、本体２０の内部は間仕切り２２により５つの警告灯収容部２３を設けている。また、本体２０の底面には各警告灯収容部２３ごとに携帯ＬＥＤ警告灯１の先端部１１の直径よりもやや小さな貫通孔２４を設けており、貫通孔２４を通して外部から操作釦１６を操作可能としている。
【００１７】
警告灯収容部２３に収容する携帯ＬＥＤ警告灯１の数は５本以内で任意であるが、１本のみ収容した場合でも、これを点灯／点滅させた場合には、その光が本体２０及び間仕切り２２に反射しつつ外部に透過するため、ＬＥＤ警告灯ケース２全体が発光しているかのように見え、注意喚起の効果が増強される。
【００１８】
また、蓋部２１の上面側裏面にはクッション２５を設けており、蓋部２１を閉鎖した際には尾栓１３がクッション２５により押圧されて、警告灯収容部２３に収容した携帯ＬＥＤ警告灯１が固定される。蓋部２１の正面側表面には金属板２６を設けており、ＬＥＤ警告灯ケース２を路上等に平置きし、尾栓１３の永久磁石１７を金属板２６に吸着させて携帯ＬＥＤ警告灯１を垂直に起立した状態で固定することができる。金属板２６の表面を反射材（図示せず）で覆っても良く、その場合は、携帯ＬＥＤ警告灯１を消灯している場合でもヘッドライト等の光を反射して安全性向上に資する。本体２０の両側面には取付部２７を設けており、取付部２７にベルト（図示せず）を取り付ければ、ＬＥＤ警告灯ケースを肩掛けで携行できる。
【００１９】
図８は、本考案に係るＬＥＤ警告灯ケース２を平置きし、金属板２６上に携帯ＬＥＤ警告灯１を永久磁石１７により吸着固定して起立させて使用する状態を示す使用方法の一例を示す斜視図である。かかる使用方法によれば、携帯ＬＥＤ警告灯１を点灯／点滅させて起立させた状態で路上等に安定して放置することができる。
【００２０】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものであり、本考案の技術的思想の範囲内に属する限り、それらは本考案の技術的範囲に属する。
【産業上の利用可能性】
【００２１】
本考案に係るＬＥＤ警告灯ケースは、警察官による交通事故現場対応や夜間検問等における保安や警戒、交通誘導の安全性向上に利用可能であり、特に、多数の携帯ＬＥＤ警告灯を使用し、これらを携行せず路上等に設置して利用する場合に特に有効である。
【図面の簡単な説明】
【００２２】
【図１】本考案の一実施形態に用いる携帯ＬＥＤ警告灯の平面図
【図２】本考案の一実施形態に用いる携帯ＬＥＤ警告灯の左側面図
【図３】本考案の一実施形態に用いる携帯ＬＥＤ警告灯の右側面図
【図４】本考案の一実施形態に係るＬＥＤ警告灯ケースの斜視図
【図５】本考案の一実施形態に係るＬＥＤ警告灯ケースの正面図
【図６】本考案の一実施形態に係るＬＥＤ警告灯ケースの左側面図
【図７】本考案の一実施形態に係るＬＥＤ警告灯ケースの底面図
【図８】本考案の一実施形態に係るＬＥＤ警告灯ケースの使用状態の一例を示す図
【符号の説明】
【００２３】
１           携帯ＬＥＤ警告灯
１０    発光部
１１    先端部
１２    元端部
１３    尾栓
１４    基盤
１５    ＬＥＤ素子
１６    操作釦
１７    永久磁石
２           ＬＥＤ警告灯ケース
２０       本体
２１       蓋部
２２    間仕切り
２３    警告灯収容部
２４    貫通孔
２５    クッション
２６    金属板
２７    取付部
【図１】
0003208109.tif 000003
【図２】
0003208109.tif 000004
【図３】
0003208109.tif 000005
【図４】
0003208109.tif 000006
【図５】
0003208109.tif 000007
【図６】
0003208109.tif 000008
【図７】
0003208109.tif 000009
【図８】
0003208109.tif 000010